(57)【要約】【課題】従来のシステムでは、クロマ処理回路のバースト信号検出などのため、色副搬送波の逓倍数を用いた単一クロック仕様となっていたので、水平基準周期を固定値で設定していた。しかし、色副搬送波の逓倍数の周波数を使用すると、クロックの高調波でテレビジョン信号受信時の画面表示妨害やＧＰＳ妨害の影響を受けるため、システムクロック周波数を可変できるシステムにすることが要求されている。【解決手段】同期処理回路の水平基準データをクロック周波数によって可変できるようにし、水平基準周期データを固定値から可変データ設定回路を設け、クロック周波数と入力信号から基準周波数設定を行い、基準周波数とのクロックシフト量の設定から自動的に水平基準周期データを算出するモードと、直接ファンクションで水平基準周期データを設定するモードの２モードを回路に追加し、システムクロック周波数を可変できるシステムに対応可能とした。【選択図】図１
2005244448.tif 000002
【特許請求の範囲】
【請求項１】
車載用テレビジョン表示装置における同期信号の水平基準周期データの設定処理回路であって、
基本周波数情報、インターレース／プログレッシブ信号情報、前記同期信号の垂直ライン数情報から基本周波数の水平基準データを設定する水平基準データ生成回路と、
前記基本周波数からのクロックシフト量情報と前記水平基準データとが入力される乗算器と、
前記乗算器出力と前記水平基準周期データを入力とするセレクタを備え、
前記基本周波数の中で入力信号と一番近い周波数を選択し、前記インターレース／プログレッシブ信号情報，垂直ライン数情報から数種類の基本水平基準データを設定し、前記入力信号の周波数が基本周波数とずれている場合は、前記基本水平基準データにクロックシフト量を乗算器で算出することにより、システムクロック２５ＭＨｚから５０ＭＨｚまで連続的に水平基準周期データを導出する水平基準周期データの設定処理回路。
【請求項２】
水平基準周期値の変動によって影響が発生する、水平基準周期の約６２．５％の等価パルス除去マスク値と、水平基準周期の約８７．５％のコピーガードマスク値と、水平基準周期の約５０．０％の水平半周期値と、水平基準周期の約６．２５％の内部同期信号幅値を、水平基準周期データからビットシフト処理と加算器のみで、水平基準周期値の変動に追従して算出処理をする請求項１記載の水平基準周期データの設定処理回路。
【発明の詳細な説明】
【技術分野】
【０００１】
本発明は、車載用テレビジョンの受像機等に用いられる表示装置に係わり、映像信号に含まれる同期処理回路における水平基準周期データの設定に関するものである。
【背景技術】
【０００２】
以下に、従来の同期処理回路における水平基準周期設定について説明する。
【０００３】
図７は、従来の液晶駆動処理一体型映像処理ＩＣの動作クロックの流れを簡単に示した図である。図７において、１は液晶駆動処理一体型の映像処理ＩＣであり、内部の構成を簡単に示したものである。２は水晶発振回路であり、従来ＩＣの色副搬送波周波数の逓倍周波数で動作するシステムクロックである。３はＰＬＬ発振回路であり、液晶駆動処理回路のクロック生成回路である。４は液晶駆動処理回路であり、ＰＬＬ発振回路で生成されたクロックで動作する回路である。５は液晶パネルであり、液晶駆動回路で生成された制御信号を入力します。６は映像信号であり、ここでは複合映像信号（コンポジット信号）または、Ｙ／Ｃ分離信号を示します。７はＹ／Ｃ分離回路であり、入力された映像信号をＹ信号（輝度成分）とＣ信号（色成分）とに分離する回路である。８はクロマ処理回路であり、Ｙ／Ｃ分離回路で分離されたＣ信号または、Ｙ／Ｃ分離信号で入力されたＣ信号を色差信号に変換する回路である。９は同期分離ＩＣであり、映像処理ＩＣの外部で入力する映像信号から同期信号を分離するＩＣである。１０は同期処理回路で、同期分離ＩＣで分離された同期信号から水平同期信号，垂直同期信号などの信号を生成する回路である。
【０００４】
図８は、従来の液晶駆動処理一体型映像処理ＩＣの同期信号処理ブロック内の水平基準周期に関する箇所のみを簡単に示したブロック図である。１１は外部から入力される外部同期信号であり、１２は水晶発振回路であり、従来ＩＣの色副搬送波周波数の逓倍周波数で動作するシステムクロックである。１３はカウンタ回路であり、カウンタ値をコピーマスク信号生成回路に送ります。１４は等価パルスマスク値であり、クロック周波数で決まっている固定値である。１５はコピーガードマスク値であり、クロック周波数で決まっている固定値である。１６は等価パルスマスク値とコピーガードマスク値とを切り替えるセレクタであり、入力同期信号にコピーガード信号の有無によって設定するセレクタである。１７は外部水平同期信号生成回路であり、外部同期信号と１６のセレクタで選択されたマスク値とカウンタ値から等価パルスまたは、コピーガード信号を除去した外部水平同期信号を生成する回路である。１８はカウンタ回路であり、水平半周期信号の生成や内部水平信号の生成のため、カウンタ値を水平半周期信号生成回路や内部水平信号生成回路に送ります。１９は水平半周期値であり、クロック周波数で決まっている固定値である。２０は水平半周期信号生成回路であり、水平半周期値とカウンタ値から水平半周期信号を生成する回路である。２１は内部水平同期信号幅であり、クロック周波数で決まっている固定値である。２２は内部水平同期信号生成回路であり、内部水平同期信号幅とカウンタ値から内部水平同期信号を生成する回路である。２３は内部水平同期信号であり、同期処理ブロックから出力され、クロマ処理回路などに入力される信号である。
【０００５】
従来の液晶駆動処理一体型の映像処理ＩＣ１の動作クロックは、バースト信号検出のため、色副搬送波周波数の逓倍の水晶発振回路２によるシステムクロックと、液晶駆動用にＰＬＬ回路３を用いたＰＬＬ発進クロックで構成されていた。液晶駆動処理回路４に入力するＰＬＬ発振クロックでは、出力する液晶パネル５の動作スペックがあまりシビアでなく、また表示する画面モードなどによって、周波数設定を可変するため、ＰＬＬの分周比を変えて、各画面モードに合わせて設定可能しており、テレビジョン信号の受信時においても、ＰＬＬ発進クロックの分周比の可変することで、発振周波数が変わるため、チャンネル毎に、ＰＬＬの発振周波数の高調波とチャンネル受信周波数がぶつからないよう設定可能である。
【０００６】
これに対し、色副搬送波周波数の逓倍のシステムクロックは、映像処理ＩＣ１に入力される映像信号（複合映像信号またはＹ／Ｃ信号）６が、Ｙ／Ｃ分離回路７で輝度成分と色成分に分離され、クロマ処理回路８に入力される色成分を色信号に復調するための復調基準となるカラーバースト信号をバーストゲート信号で抜き取り、抜き取られたバースト信号と内部基準クロック信号との位相差を１水平期間毎に出力します。このときの内部基準クロックに色副搬送波周波数を使用するため、システムクロックに色副搬送波周波数の逓倍というきっちりした周波数値を採用していました。このため、従来の液晶駆動処理一体型の映像処理ＩＣでのシステムクロックは、ＮＴＳＣ信号の場合、４倍の色副搬送波周波数であれば約１４．３２ＭＨｚ、８倍の色副搬送波周波数であれば約２８．６４ＭＨｚ、１２倍の色副搬送波周波数であれば約４２．９６ＭＨｚのシステムクロックとなり、ＰＡＬ信号の場合、４倍の色副搬送波周波数であれば約１７．７２ＭＨｚ、８倍の色副搬送波周波数であれば約３５．４４ＭＨｚ、１２倍の色副搬送波周波数であれば約５３．１６ＭＨｚという、固定されたシステムクロックとなります。
【０００７】
このため、同期処理回路１０では、カウントダウン回路による内部水平同期信号を生成するために、水平基準周期をシステムクロックと入力される同期信号の周期から設定している。同期処理ブロックは、入力される映像信号６を、映像処理ＩＣ１の外部の同期分離ＩＣ９で、映像信号から分離された同期信号が入力される。この同期信号の１水平周期、即ち、ＮＴＳＣ信号であるならば６３．５ｕｓｅｃ、ＰＡＬ信号であれば６４ｕｓｅｃの期間にシステムクロック数が何クロック存在しているかで水平基準周期を設定している。従来のシステムクロックでは色副搬送波周波数の逓倍と決まっていたため、ＮＴＳＣ信号の場合、４倍の色副搬送波周波数であれば、９０９ｃｌｋ、８倍の色副搬送波周波数であれば、１８１８ｃｌｋ、１２倍の色副搬送波周波数であれば、２７２８ｃｌｋとなり、ＰＡＬ信号の場合、４倍の色副搬送波周波数であれば、１１３４ｃｌｋ、８倍の色副搬送波周波数であれば、２２６８ｃｌｋ、１２倍の色副搬送波周波数であれば、３４０２ｃｌｋと決まってしまうので、システムクロックが色副搬送波周波数の何逓倍のクロックと入力信号が決定していれば、前述のように、水平基準周期が決まってしまうため、固定値を設定で問題はなかった。
【０００８】
この水平基準周期値から決定される、複合同期信号の垂直等価パルスを除去するため、コピーガード信号を除去するため、入力された複合同期信号のフロントエッジ部からマスクするための６０％マスク信号の生成値や、入力された複合同期信号や水平同期信号のフロントエッジ部からマスクするための９０％マスク信号の生成値や、垂直同期処理の垂直同期信号の生成タイミングとして使用する水平半周期信号の生成値や、内部水平同期信号の信号幅値の生成も固定値の設定で問題はなかった。
【０００９】
コピーガードマスク重畳信号の生成は、図８の水晶発振回路１２から出力されるクロックによってカウントアップされるカウンタ１３のカウント値と、同期信号処理ブロックに入力される外部同期信号１１と、水平基準周期の約９０％であるコピーガードマスク値１４によって、コピーガードマスク重畳信号生成回路１５によって信号生成されるが、水平基準周期が固定値設定されているため、このコピーガードマスク値１４も固定値で問題なかった。
【００１０】
水平半周期信号の生成は、図８の水晶発振回路１２から出力されるクロックによってカウントアップされるカウンタ１６のカウント値と、水平基準周期の５０％である水平半周期値１７によって、水平半周期信号生成回路１８によって信号生成されるが、水平基準周期が固定値設定されているため、この水平半周期値１７も固定値で問題なかった。
【００１１】
内部水平同期信号の生成は、図８の水晶発振回路１２から出力されるクロックによってカウントアップされるカウンタ１６のカウント値と、水平基準周期の６．２％である内部水平同期信号幅値１９によって、内部水平同期信号生成回路１８によって信号生成されるが、水平基準周期が固定値設定されているため、この内部水平同期信号幅値１９も固定値で問題なかった。
【特許文献１】実開平５−６５１８４号公報
【発明の開示】
【発明が解決しようとする課題】
【００１２】
しかしながら、上記の従来の構成では、システムクロックが色副搬送波周波数の逓倍であるため、テレビジョン信号の受信時に、色副搬送波周波数成分の高調波が、チャンネル受信周波数と必ず影響するチャンネルがあり、例えば、日本の４チャンネルの映像キャリアが１７１．２５ＭＨｚに対し、４倍の色副搬送波周波数（約１４．３２ＭＨｚ）の１２倍、または、８倍の色副搬送波周波数（約２８．６２ＭＨｚ）の６倍の周波数が、約１７１．８ＭＨｚとほぼ近い周波数になるため、車のような移動体環境下での中弱電界において、表示映像にビートが発生する。
【００１３】
また、近年の車にはナビゲーションシステムが多く装着されており、このナビゲーションシステムのＧＰＳアンテナの受信周波数が、１５７５．４２ＭＨｚ±１．０２３ＭＨｚであるため、４倍の色副搬送波周波数（約１４．３２ＭＨｚ）の１１０倍、または、８倍の色副搬送波周波数（約２８．６２ＭＨｚ）の５５倍の周波数が約１５７５．２ＭＨｚとなり、ＧＰＳアンテナの受信周波数とぶつかり、ＧＰＳアンテナの受信に影響を与えることがあった。そのため、システムクロックを色副搬送波周波数の逓倍でなく、ある範囲の可変設定が求められると同時に、同期処理ブロックでの水平基準周期の可変設定が必要となってきます。
【課題を解決するための手段】
【００１４】
この目的を達成するために車載用テレビジョン表示装置における同期信号の水平基準周期データの設定処理回路は、クロマ処理回路でのバースト信号検出に必要な色副搬送波周波数の逓倍システムクロックが、ディジタル周波数変換によって色副搬送波周波数の逓倍周波数相当のロードパルスを生成することが可能となったため、システムクロック周波数の設定が自由となった。本発明の同期処理回路における水平基準周期設定は、水平基準データを可変できるようにし、直接水平基準周期データのファンクション設定と、基本周波数，インターレス／プログレッシブ，垂直ライン数の情報からの基本水平基準データと基本周波数とのクロックシフト量の設定から自動的に水平基準周期データを算出する構成を有している。この構成によって２５ＭＨｚから５０ＭＨｚまでのシステムクロックに対応可能とした、水平基準周期データを設定する同期処理回路が得られる。
【発明の効果】
【００１５】
本発明により、入力されるシステムクロック周波数と入力信号情報によって、基本水平基準データを設定し、入力される同期信号によって選択されたデータにクロックシフト量を乗算器で算出することにより、システムクロック２５ＭＨｚから５０ＭＨｚまで連続的に水平基準周期データを導出でき、テレビジョンの放送周波数やＧＰＳ周波数を避けてシステムクロックを設定できるため、表示画像の画質向上やナビゲーション機器など他の機器に影響を与えないことが可能になる。
【発明を実施するための最良の形態】
【００１６】
本発明の請求項１に記載の発明は、車載用テレビジョン表示装置における同期信号の水平基準周期データの設定処理回路であって、基本周波数情報、インターレース／プログレッシブ信号情報、前記同期信号の垂直ライン数情報から基本周波数の水平基準データを設定する水平基準データ生成回路と、前記基本周波数からのクロックシフト量情報と前記水平基準データとが入力される乗算器と、前記乗算器出力と前記水平基準周期データを入力とするセレクタを備え、前記基本周波数の中で入力信号と一番近い周波数を選択し、前記インターレース／プログレッシブ信号情報，垂直ライン数情報から数種類の基本水平基準データを設定し、前記入力信号の周波数が基本周波数とずれている場合は、前記基本水平基準データにクロックシフト量を乗算器で算出することにより、システムクロック２５ＭＨｚから５０ＭＨｚまで連続的に水平基準周期データを導出する水平基準周期データの設定処理回路であり、前述で導出された水平基準周期データとファンクションで設定できる水平基準周期データとをセレクタによって、水平基準周期データを選択できるシステムであり、システムクロック周波数の設定変更においても、最適な水平基準周期データの設定により、安定して同期信号処理を行うことが可能となります。
【００１７】
本発明の請求項２に記載の発明は、
水平基準周期値の変動によって影響が発生する、水平基準周期の約６２．５％の等価パルス除去マスク値と、水平基準周期の約８７．５％のコピーガードマスク値と、水平基準周期の約５０．０％の水平半周期値と、水平基準周期の約６．２５％の内部同期信号幅値を、水平基準周期データからビットシフト処理と加算器のみで、水平基準周期値の変動に追従して算出処理をする請求項１記載の水平基準周期データの設定処理回路であり、除算器を使用せず、ビットシフト処理と加算器でデータ算出をするため、回路規模を低減できるという作用を有する。
【００１８】
以下、発明の実施の形態を、図面３〜８を参照しながら説明する。図１は本発明の水平基準周期値を生成するブロック図であり、図２は本発明の液晶駆動処理一体型映像処理ＩＣの同期信号処理ブロック内で、水平基準周期値から生成する信号に関する箇所のみを簡単に示したブロック図であり、図３は本発明の水平基準周期値から等化パルス除去マスク値を生成するブロック図であり、図４は本発明の水平基準周期値からコピーガードマスク値を生成するブロック図であり、図５は水平基準周期値から水平半周期値を生成するブロック図であり、図６は水平基準周期値から内部水平同期信号幅値を生成するブロック図である。
【実施例１】
【００１９】
図１は本発明の水平基準周期値を生成するブロック図であり、図１において、３１は水平基準周期データ設定回路と、３２は基本周波数選択と、３３はインターレス／プログレッシブ信号情報と、３４は入力同期信号の垂直ライン数５２５本／６２５本信号情報と、３５は前述の情報から基本周波数の水平基準データ生成回路と、３６は基本周波数からのクロックシフト量情報と、３７は乗算器と、３８は直接設定可能な水平基準周期データと、３９は２信号セレクタから構成されており、４０の水平基準周期値を出力するブロックである。水平基準周期データ設定回路３１で、基本周波数、例えば２７ＭＨｚ，３２ＭＨｚ，３７ＭＨｚ，４２ＭＨｚという４種類のクロックの場合、それぞれのクロック周波数におけるインターレス信号／プログレッシブ信号及び、垂直５２５本／６２５本仕様による、それぞれの１水平周期期間のクロック数を基準値として、計１６種類のデータを設定する。ここで設定した１６種類のデータの中から、水平基準データ生成回路３５において、入力されるシステムクロックの周波数を設定する基本周波数選択３２と、入力される信号がインターレス信号であるかプログレッシブ信号であるかを設定するＩ／Ｐ信号情報３３と、入力される信号が垂直５２５本仕様なのか６２５本仕様なのかを設定する５２５／６２５情報３４によって、１つのデータを選択する。
【００２０】
ここで、基本周波数選択３２で選択した周波数が、そのままシステムクロック周波数であれば、設定した基準値をそのまま使用することができる。しかし、２５ＭＨｚから５０ＭＨｚまで連続可変させるため、基準値クロックからの偏差量をクロックシフト量３６で設定する。このクロックシフトの偏差量は０倍以上２倍未満としている。水平基準データ生成回路３５で設定した基準値に、ここで設定するシフト量を乗算器３７で乗算することにより、連続的に水平基準周期データを設定することができる。
【００２１】
また、乗算器３７で設定された水平基準周期データ値と直接設定で行う水平基準周期データ３８でファンクション設定する値を、セレクタ３９で切り替えて出力した値が、水平基準周期値４０として出力する。
【実施例２】
【００２２】
図２は本発明の液晶駆動処理一体型映像処理ＩＣの同期信号処理ブロック内で、水平基準周期値から生成する信号に関する箇所のみを簡単に示したブロック図である。４１は外部から入力される同期信号であり、４２は水晶発振回路であり、２５ＭＨｚ〜５０ＭＨｚ程度で動作するシステムクロックである。４３は等価パルスマスク値であり、実施例１で設定された水平基準周期値から算出されたデータである。４４はコピーガードマスク値であり、実施例１で設定された水平基準周期値から算出されたデータである。４５は水平半周期値であり、実施例１で設定された水平基準周期値から算出されたデータである。４６は内部水平同期信号幅であり、実施例１で設定された水平基準周期値から算出されたデータである。４７は等価パルスマスク値とコピーガードマスク値とを切り替えるセレクタであり、入力同期信号にコピーガード信号の有無によって設定するセレクタである。４８はカウンタ回路であり、カウンタ値をコピーマスク信号生成回路に送ります。４９は外部水平同期信号生成回路であり、外部同期信号とセレクタ４７で選択されたマスク値とカウンタ値から等価パルスまたは、コピーガード信号を除去した外部水平同期信号を生成する回路である。５０はカウンタ回路であり、水平半周期信号の生成や内部水平信号の生成のため、カウンタ値を水平半周期信号生成回路や内部水平信号生成回路に送ります。５１は水平半周期信号生成回路であり、水平半周期値とカウンタ値から水平半周期信号を生成する回路である。５２は内部水平同期信号生成回路であり、内部水平同期信号幅とカウンタ値から内部水平同期信号を生成する回路である。５３は内部水平同期信号であり、同期処理ブロックから出力され、クロマ処理回路などに入力される信号である。
【実施例３】
【００２３】
図３は水平基準周期値から等化パルス除去マスク値を生成するブロック図である。６１は実施例１で設定された水平基準周期値であり、図１の４０に相当します。６２は水平基準周期値６１をビットシフト処理によって算出した水平基準周期値の１／２倍データ生成処理回路である。６３は水平基準周期値６１をビットシフト処理によって算出した水平基準周期値の１／８倍データ生成処理回路である。６４は６２の水平基準周期値の１／２倍データと６３の水平基準周期値の１／８倍データを加算処理する加算器である。６５は等価パルス除去マスク値となり、図２の４３に相当します。
【００２４】
実施例１で設定された水平基準周期値６１は、ビットシフト処理回路６２，６３によってそれぞれ１／２倍データと１／８倍データが算出され、加算器６４によって、水平基準周期値６１の約６２．５％のデータが得られる。このデータが等価パルス除去マスク値６５となり、図２の外部水平同期信号生成回路４９に出力される。
【実施例４】
【００２５】
図４は水平基準周期値からコピーガードマスク値を生成するブロック図である。６６は実施例１で設定された水平基準周期値であり、図１の４０に相当します。６７は水平基準周期値６６をビットシフト処理によって算出した水平基準周期値の１／２倍データ生成処理回路である。６８は水平基準周期値６６をビットシフト処理によって算出した水平基準周期値の１／８倍データ生成処理回路である。６９は水平基準周期値６６をビットシフト処理によって算出した水平基準周期値の１／４倍データ生成処理回路である。７０は６７の水平基準周期値の１／２倍データと６８の水平基準周期値の１／８倍データを加算処理する加算器である。７１は加算器７０で算出されたデータと６９の水平基準周期値の１／４倍データを加算処理する加算器である。７２はコピーガードマスク値となり、図２の４４に相当します。
【００２６】
実施例１で設定された水平基準周期値６６は、ビットシフト処理回路６７，６８、６９によってそれぞれ１／２倍データ，１／８倍データ，１／４倍データが算出され、加算器７０，７１によって、水平基準周期値６６の約８７．５％のデータが得られる。このデータがコピーガードマスク値６５となり、図２の外部水平同期信号生成回路４９に出力される。
【実施例５】
【００２７】
図５は水平基準周期値から水平半周期値を生成するブロック図である。７３は実施例１で設定された水平基準周期値であり、図１の４０に相当します。７４は水平基準周期値７３をビットシフト処理によって算出した水平基準周期値の１／２倍データ生成処理回路である。７５は水平半周期値となり、図２の４５に相当します。
【００２８】
実施例１で設定された水平基準周期値７３は、ビットシフト処理回路７４によって１／２倍データが算出され、水平基準周期値７３の約５０．０％のデータが得られる。このデータが水平半周期値７５となり、図２の水平半周期信号生成回路５１に出力される。
【実施例６】
【００２９】
図６は水平基準周期値から内部水平同期信号幅値を生成するブロック図である。７６は実施例１で設定された水平基準周期値であり、図１の４０に相当します。７７は水平基準周期値７６をビットシフト処理によって算出した水平基準周期値の１／１６倍データ生成処理回路である。７７は内部水平同期信号幅値となり、図２の４６に相当します。
【００３０】
実施例１で設定された水平基準周期値７６は、ビットシフト処理回路７７によって１／１６倍データが算出され、水平基準周期値７６の約６．２５％のデータが得られる。このデータが内部水平同期信号幅値７７となり、図２の内部水平同期信号生成回路５２に出力される。
【産業上の利用可能性】
【００３１】
本発明は、車載用テレビジョンの受像機等に用いられる表示装置に係わり、システムクロック周波数を自由に設定可能となることにより、システムクロックの高調波によるテレビジョン信号受信時の表示画像の画質向上や他の機器への影響に対して低減できるという優れた効果が得られる。
【図面の簡単な説明】
【００３２】
【図１】本発明の水平基準周期値を生成するブロック図
【図２】本発明の液晶駆動処理一体型映像処理ＩＣの同期信号処理ブロック内で、水平基準周期値から生成する信号に関する箇所のみを簡単に示したブロック図
【図３】水平基準周期値から等化パルス除去マスク値を生成するブロック図
【図４】水平基準周期値からコピーガードマスク値を生成するブロック図
【図５】水平基準周期値から水平半周期値を生成するブロック図
【図６】水平基準周期値から内部水平同期信号幅値を生成するブロック図
【図７】従来の液晶駆動処理一体型映像処理ＩＣの動作クロックの流れを簡単に示した図
【図８】従来の液晶駆動処理一体型映像処理ＩＣの同期信号処理ブロック内の水平基準周期に関する箇所のみを簡単に示したブロック図
【符号の説明】
【００３３】
１    液晶駆動処理一体型の映像処理ＩＣ
２，１２，４２    水晶発振回路
３    ＰＬＬ発振回路
４    液晶駆動処理回路
５    液晶パネル
６    映像信号
７    Ｙ／Ｃ分離回路
８    クロマ処理回路
９    同期分離ＩＣ
１０    同期処理回路
１１，４１    外部同期信号
１３，１８，４８，５０    カウンタ回路
１４    等価パルスマスク値（固定値）
１５    コピーガードマスク値（固定値）
１６，３９，４７    ２信号セレクタ
１７，４９    外部水平同期信号生成回路
１９    水平半周期値（固定値）
２０，５１    水平半周期信号生成回路
２１    内部水平同期信号幅（固定値）
２２，５２    内部水平同期信号生成回路
２３，５３    内部水平同期信号
３１    水平基準周期データ設定回路
３２    基本周波数選択
３３    インターレス／プログレッシブ信号情報
３４    垂直ライン数５２５本／６２５本信号情報
３５    基本周波数の水平基準データ生成回路
３６    クロックシフト量情報
３７    乗算器
３８    水平基準周期データ（ファンクション）
４０，６１，６６，７３，７６    水平基準周期値
４３，６５    等価パルスマスク値
４４，７２    コピーガードマスク値
４５，７５    水平半周期値
４６，７８    内部水平同期信号幅
６２，６７，７４    ビットシフト処理による１／２倍データ生成回路
６３，６８    ビットシフト処理による１／８倍データ生成回路
６９    ビットシフト処理による１／４倍データ生成回路
７７    ビットシフト処理による１／１６倍データ生成回路
【図１】
2005244448.tif 000003
【図２】
2005244448.tif 000004
【図３】
2005244448.tif 000005
【図４】
2005244448.tif 000006
【図５】
2005244448.tif 000007
【図６】
2005244448.tif 000008
【図７】
2005244448.tif 000009
【図８】
2005244448.tif 000010